(57)【要約】【課題】例えば１から２年程度の短期間では目立たなくても、例えば３年以上の中、長期間に及ぶと徐々に目立ってくる塵埃の残留物を洗浄して清潔を保ちやすい空気調和機を提案する。【解決手段】空気調和機１は、通風路６３に吸い込まれる空気から塵埃を除去するエアフィルタ７５と、エアフィルタ７５のそれぞれの端部に設けられる一対の軸８５、８６と、一方側の軸８５を駆動させてエアフィルタ７５を巻き取らせる駆動部８７と、一方側の軸８５に巻き取られるエアフィルタ７５の移動によってエネルギーを蓄え、エアフィルタ７５を巻き出すとエネルギーを消費して他方側の軸８６にエアフィルタ７５を巻き取らせる動力部８８と、一対の軸８５、８６を保持してエアフィルタ７５を張る濾過体保持枠９１と、濾過体保持枠９１を着脱自在に保持する前面枠体６８と、エアフィルタ７５を移動させると表面７５ａに捕捉された塵埃を除去する除塵機構９２と、を備える。【選択図】  図４
2015049009.tif 000002
【特許請求の範囲】
【請求項１】
通風路を仕切る筐体と、
前記通風路内に配置される室内熱交換器と、
前記通風路内に配置される送風機と、
前記通風路に吸い込まれる空気から塵埃を除去する濾過体と、
前記濾過体のそれぞれの端部に設けられて互いに対向する一対の軸と、
前記一対の軸のうち一方側の軸を駆動させて前記濾過体を巻き取らせる駆動部と、
前記一方側の軸に巻き取られる前記濾過体の移動によってエネルギーを蓄え、前記一方側の軸から前記濾過体を巻き出すと蓄えたエネルギーを消費して前記一対の軸のうち他方側の軸に前記濾過体を巻き取らせる動力部と、
前記一対の軸を保持して前記濾過体を張る濾過体保持枠と、
前記筐体に固定されて前記濾過体保持枠を着脱自在に保持する固定枠と、
前記濾過体を移動させると前記濾過体の表面に捕捉された塵埃を除去する除塵機構と、を備える空気調和機。
【請求項２】
前記濾過体保持枠は、前記一対の軸をそれぞれ保持する２つの高剛性な辺縁部と、前記２つの辺縁部を繋ぎ、前記２つの辺縁部よりも低剛性で可撓な板状の中間部と、を備える請求項１に記載の空気調和機。
【請求項３】
前記固定枠は、前記濾過体保持枠を着脱させる際に前記２つの辺縁部のうち一方を定位置に案内するガイド溝を備える請求項２に記載の空気調和機。
【請求項４】
前記一対の軸の少なくとも一方は、金属製の芯棒と、前記芯棒を覆って前記濾過体に一体化される樹脂製の被覆部と、を備える請求項１から３のいずれか１項に記載の空気調和機。
【請求項５】
前記濾過体が前記一方側の軸に巻き取られているか否かを検出する巻取検知部を備える請求項１から４のいずれか１項に記載の空気調和機。
【請求項６】
前記芯棒は、非円形断面形状である請求項４に記載の空気調和機。
【請求項７】
前記濾過体の裏面側に設けられて前記除塵機構と協働して前記濾過体を挟み込む回転自在な円柱形状のブラシを備える請求項１から６のいずれか１項に記載の空気調和機。
【請求項８】
前記除塵機構は、前記濾過体が前記他方側の軸に巻き取られる際には前記濾過体と非接触な待避位置へ移動する塵埃除去ブラシを備える請求項１から７のいずれか１項に記載の空気調和機。
【請求項９】
前記動力部は、前記濾過体を前記駆動部よりも短時間で巻き取る請求項１から８のいずれか１項に記載の空気調和機。
【発明の詳細な説明】
【技術分野】
【０００１】
本発明に係る実施形態は、空気調和機に関する。
【背景技術】
【０００２】
一方に濾過体を巻取る巻取軸と巻取駆動モータを配置し、他方に濾過体の支持軸と戻しバネを配置して、巻取軸に巻き付けられる濾過体と、濾過体を巻取軸から支持軸へ導くフレームと、塵埃除去部材と、を備える空気調和機が知られている。この空気調和機は、濾過体、支持軸および巻取軸がフレームに設けられ、フレームが室内機筐体に固定されている。
【先行技術文献】
【特許文献】
【０００３】
【特許文献１】特開２００４−２６３９８３号公報
【発明の概要】
【発明が解決しようとする課題】
【０００４】
従来の空気調和機は、支持軸から巻取軸へ濾過体を巻き取り、この巻き取り動作時に濾過体の表面から塵埃を除去することによって、濾過体の清掃作業を容易にしている。
【０００５】
ところで、従来の空気調和機は、フレームが室内機筐体に固定されているため、フレームに付着した塵埃を除去することができない。また、従来の空気調和機は、濾過体を清掃してもなお、支持軸、巻取軸および濾過体に残留する塵埃を完全に除去することが難しい。
【０００６】
そこで、本発明は、例えば１から２年程度の短期間では目立たなくても、例えば３年以上の中、長期間に及ぶと徐々に目立ってくる塵埃の残留物を洗浄して清潔を保ちやすい空気調和機を提案する。
【課題を解決するための手段】
【０００７】
前記の課題を解決するため本発明の実施形態に係る空気調和機は、通風路を仕切る筐体と、前記通風路内に配置される室内熱交換器と、前記通風路内に配置される送風機と、前記通風路に吸い込まれる空気から塵埃を除去する濾過体と、前記濾過体のそれぞれの端部に設けられて互いに対向する一対の軸と、前記一対の軸のうち一方側の軸を駆動させて前記濾過体を巻き取らせる駆動部と、前記一方側の軸に巻き取られる前記濾過体の移動によってエネルギーを蓄え、前記一方側の軸から前記濾過体を巻き出すと蓄えたエネルギーを消費して前記一対の軸のうち他方側の軸に前記濾過体を巻き取らせる動力部と、前記一対の軸を保持して前記濾過体を張る濾過体保持枠と、前記筐体に固定されて前記濾過体保持枠を着脱自在に保持する固定枠と、前記濾過体を移動させると前記濾過体の表面に捕捉された塵埃を除去する除塵機構と、を備えている。
【図面の簡単な説明】
【０００８】
【図１】本発明の実施形態に係る空気調和機を示すブロック図。
【図２】本発明の実施形態に係る空気調和機の室内機を示す正面図。
【図３】本発明の実施形態に係る空気調和機の室内機を示す縦断面図。
【図４】本発明の実施形態に係る空気調和機のエアフィルタの周囲を示す斜視図。
【図５】本発明の実施形態に係る空気調和機のエアフィルタの周囲を示す正面図。
【図６】本発明の実施形態に係る空気調和機のエアフィルタ周囲を示す縦断面図。
【図７】本発明の実施形態に係る空気調和機の濾過体保持枠を示す斜視図。
【図８】本発明の実施形態に係る空気調和機の濾過体保持枠を示す正面図。
【図９】本発明の実施形態に係る空気調和機の濾過体保持枠を示す縦断面図。
【図１０】本発明の実施形態に係る空気調和機の固定枠の一部を示す斜視図。
【図１１】本発明の実施形態に係る空気調和機の一方側の軸の周囲を示す断面図。
【図１２】本発明の実施形態に係る空気調和機の他方側の軸の周囲を示す断面図。
【図１３】本発明の実施形態に係る空気調和機の一方側の軸の背面側から見た端部の構成を示す斜視図。
【図１４】本発明の実施形態に係る空気調和機の巻取検知部を示す断面図。
【図１５】本発明の実施形態に係る空気調和機の巻取検知部を示す断面図。
【図１６】本発明の実施形態に係る空気調和機の巻取検知部を示す断面図。
【発明を実施するための形態】
【０００９】
本発明に係る空気調和機の実施形態について、図１から図１６を参照して説明する。
【００１０】
図１は、本発明の実施形態に係る空気調和機を示すブロック図である。
【００１１】
図１に示すように、本実施形態に係る空気調和機１は、被空調室Ｒ内に設置される室内機２と、屋外に設置される室外機３と、入力装置としてのリモートコントローラ５（以下、単に「リモコン５」という。）と、を備えている。
【００１２】
室内機２は、被空調室Ｒ内の空気との間で熱交換を行う室内熱交換器１１と、被空調室Ｒ内の空気を流動させる室内ファン１２と、室内ファン１２を駆動させるモータ１３と、モータ１３の駆動を制御する室内ファン駆動部１４と、室内ファン１２から吹き出される空気の上下方向の風向を決める上下ルーバ１５と、上下ルーバ１５を駆動させるモータ１６と、モータ１６の駆動を制御する上下ルーバ駆動部１７と、室内ファン１２から吹き出される空気の左右方向の風向を決める左右ルーバ１８と、左右ルーバ１８を駆動させるモータ１９と、モータ１９の駆動を制御する左右ルーバ駆動部２１と、被空調室Ｒ内の温度を検知する室内温度センサ２２と、リモコン５から送られる赤外線を読み取る受光部２３と、音声発生部２６と、スピーカ２７と、ＥＥＰＲＯＭ２８と、ＲＯＭ２９と、ＲＡＭ３１と、室内制御部３２と、を備えている。
【００１３】
室外機３は、圧縮機４１と、四方弁４２と、外気との間で熱交換を行う室外熱交換器４３と、膨張弁４５と、室外ファン４６と、室外制御部４７と、を備えている。
【００１４】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１１を通って、再び四方弁４２を介して圧縮機４１へ吸い込まれる。この冷媒の実線矢印の流路（以下、単に「冷房流路」という。）によって、室外熱交換器４３は凝縮器として機能し、室内熱交換器１１は蒸発器として機能する。
【００１５】
一方、暖房時には、図１中に破線矢印で示すように、圧縮機４１から吐出される冷媒は、四方弁４２を介して室内熱交換器１１へ案内される。室内熱交換器１１から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１１は凝縮器として機能し、室外熱交換器４３は蒸発器として機能する。
【００１６】
室外ファン４６は、室外熱交換器４３の下流側に配置されている。運転によって、室外ファン４６は、室外熱交換器４３側から熱交換後の外気を吸い込み、室外機３外へ吹き出す。
【００１７】
室内ファン１２は、室内熱交換器１１の下流側に配置されている。運転によって、室内熱交換器１１側から熱交換後の被空調室Ｒ内の空気を吸い込み、左右ルーバ１８および上下ルーバ１５を経て室内機２外へ吹き出す。室内温度センサ２２は、室内熱交換器１１よりも上流側に設けられている。室内温度センサ２２は、室内機２に吸い込まれる空気の温度を検知する。
【００１８】
室内ファン駆動部１４は、室内制御部３２が出力する運転信号に従ってモータ１３を駆動させる。駆動するモータ１３は、室内ファン１２を回転させて被空調室Ｒ内へ送風する。
【００１９】
上下ルーバ駆動部１７は、室内制御部３２が出力する運転信号に従ってモータ１６を駆動させる。駆動するモータ１６は、上下ルーバ１５を所定の角度範囲で回転させて、上下方向の風向を制御する。
【００２０】
左右ルーバ駆動部２１は、室内制御部３２が出力する運転信号に従ってモータ１９を駆動させる。駆動するモータ１９は、左右ルーバ１８を所定の角度範囲で揺動させて、左右方向の風向を制御する。
【００２１】
ＲＯＭ２９は、書き換え不可能な記憶媒体であって、制御プログラムを記憶している。
【００２２】
ＥＥＰＲＯＭ２８は、書き換え可能な記憶媒体であって、運転条件を記憶している。
【００２３】
ＲＡＭ３１は、各種情報を一時的に記憶する。
【００２４】
音声発生部２６は、室内制御部３２から送られる各種案内情報を音声信号に変換し、スピーカ２７から被空調室Ｒに音声を発する。
【００２５】
室内制御部３２は、リモコン５から読み取る運転条件や、室内温度センサ２２から読み取る検知結果に基づいて、室外制御部４７と協働して空調運転を実行する。室外制御部４７および室内制御部３２は、信号線５２によって相互に接続されている。
【００２６】
図２は、本発明の実施形態に係る空気調和機の室内機を示す正面図である。
【００２７】
図２に示すように、本実施形態に係る空気調和機１の室内機２は、被空調室Ｒから空気を吸い込む吸込口６１と、空調後の空気、つまり空調空気を被空調室Ｒへ吹き出す吹出口６２と、を有している。
【００２８】
吹出口６２には、上下ルーバ１５が設けられている。上下ルーバ１５は、室内機２の幅方向に２分割されている。吹出口６２の上方には、受光部２３が設けられている。
【００２９】
図３は、図２のＩＩＩ−ＩＩＩ線において、本発明の実施形態に係る空気調和機の室内機を示す縦断面図である。
【００３０】
図２に加えて図３に示すように、本実施形態に係る空気調和機１の室内機２は、通風路６３を仕切る室内機筐体６５を備えている。
【００３１】
室内機筐体６５は、被空調室Ｒの壁に取り付けられる据付板６６に保持される後本体６７と、後本体６７の前方の上部と前面に形成する吸込口６１と連通する開口部分を囲む前面枠体６８と、前面枠体６８の前面部側を覆う開閉自在な前面化粧板６９と、後本体６７の前方の前面枠体６８部分を除く左右周囲部分を覆う前面パネル７３と、を備えている。
【００３２】
室内熱交換器１１および送風機としての室内ファン１２は、後本体６７に取り付けられて、通風路６３内に配置されている。
【００３３】
前面枠体６８は、幅方向の左右両側部および中間部に夫々形成される複数の縦枠６８ａ…と、この縦枠６８ａ…間に上部後方から前部下方に亘り架設される複数の横枠６８ｂ…とを備え、この縦枠６８ａ…と横枠６８ｂ…間の大部分が吸込口６１側に連通する開口部６８ｃ…が形成する格子状の構造を備えている。さらに、前面枠体６８は、上部後方に後本体６７の上部に接合される上側先端部７１と、前部下方に後本体６７の下部に接合される下側先端部７２と、を備えている。
【００３４】
他方、吹出口６２は、室内機筐体６５の前面下部にあって、後本体６７の下部前方部に形成されている。
【００３５】
吸込口６１および吹出口６２は、室内機筐体６５内の通風路６３を通じて流体的に接続されている。
【００３６】
吸込口６１と前面枠体６８との間の通風路６３には、吸込口６１から通風路６３に吸い込まれる空気から塵埃を除去する濾過体としてのエアフィルタ７５が設けられている。
【００３７】
エアフィルタ７５は、可撓な網目状のシートであり、容易に丸めることができる。エアフィルタ７５の網目は、吸込口６１から吸い込まれる空気に含まれる塵埃を濾し取る。
【００３８】
通風路６３には、吸込口６１側から左右に配置した各エアフィルタ７５、７５を通過した空気を冷却または加熱する室内熱交換器１１、通風路６３内の空気を流動させる室内ファン１２、吹出口６２に相当する下流側に到り左右ルーバ１８および上下ルーバ１５が順次に配置されている。また、室内機２内には、室内制御部３２が電気部品箱（図示省略）に収納されて配置されている。
【００３９】
室内熱交換器１１は、逆Ｖ字状に配置される上前面熱交換器７７、上後面熱交換器７８と、上前面熱交換器７７の下方に延びる下前面熱交換器７９と、を備えている。
【００４０】
下前面熱交換器７９の下方には、上前面熱交換器７７および下前面熱交換器７９から滴下する凝縮水を受ける前部ドレンパン８１が設けられている。上後面熱交換器７８の下方には、上後面熱交換器７８から滴下する凝縮水を受ける後部ドレンパン８２が設けられている。前部ドレンパン８１および後部ドレンパン８２に受けられた凝縮水は、ドレンホース（図示省略）を通じて室外へ排出される。
【００４１】
室内ファン１２は、室内熱交換器１１に囲まれている。
【００４２】
図４は、本発明の実施形態に係る空気調和機のエアフィルタの周囲を示す斜視図である。
【００４３】
図５は、本発明の実施形態に係る空気調和機のエアフィルタの周囲を示す正面図である。
【００４４】
図６は、図５のＶＩ−ＶＩ線において、本発明の実施形態に係る空気調和機のエアフィルタ周囲を示す縦断面図である。
【００４５】
図７は、本発明の実施形態に係る空気調和機の濾過体保持枠を示す斜視図である。
【００４６】
図８は、本発明の実施形態に係る空気調和機の濾過体保持枠を示す正面図である。
【００４７】
図９は、図８のＩＸ−ＩＸ線において、本発明の実施形態に係る空気調和機の濾過体保持枠を示す縦断面図である。
【００４８】
図４から図９に示すように、本実施形態に係る空気調和機１の室内機２は、エアフィルタ７５の移動方向となる上部後方および前部下方のそれぞれの端部に設けられて互いに対向する一対の軸８５、８６と、一対の軸８５、８６のうち一方側の軸８５を駆動させてエアフィルタ７５を巻き取らせる駆動部８７と、一方側の軸８５に巻き取られるエアフィルタ７５の移動によってエネルギーを蓄え、一方側の軸８５からエアフィルタ７５を巻き出すと蓄えたエネルギーを消費して一対の軸８５、８６のうち他方側の軸８６にエアフィルタ７５を巻き取らせる動力部８８と、一対の軸８５、８６を保持してエアフィルタ７５を張る濾過体保持枠９１と、室内機筐体６５の上部と前面に形成する吸込口６１と連通する開口部分を囲みその通風路上流側に濾過体保持枠９１を着脱自在に保持する固定枠としての前面枠体６８と、エアフィルタ７５を移動させるとエアフィルタ７５の表面に捕捉された塵埃を除去する除塵機構９２と、を備えている。
【００４９】
先ず、前面枠体６８は、室内機２の正面から上面に渡って延び、室内機２の正面上端部から上面前端部に相当する縦枠６８ａ…の中間部分にそれぞれ角部９３を有している。
【００５０】
濾過体保持枠９１は一対あり、前面枠体６８の通風路上流側の右半分と左半分とを別々に覆っている。一対の濾過体保持枠９１、９１は、それぞれ前面枠体６８に保持されている。濾過体保持枠９１も前面枠体６８と同様に、幅方向の左右両側部および中間部に夫々形成される複数の縦枠９１ａ…と、この縦枠９１ａ…間に上部後方から前部下方に亘り架設される複数の横枠９１ｂ…とを備え、この縦枠９１ａ…と横枠９１ｂ…間の大部分が吸込口６１側に連通する開口部９１ｃ…が形成する格子状の構造を備えている。
【００５１】
また、濾過体保持枠９１は、前部下方部分と上部後方部分をそれぞれ構成し、一対の軸８５、８６の各一端部分をそれぞれ保持する２つの高剛性な辺縁部９５、９６と、この２つの辺縁部９５、９６の間を繋ぎ、これら辺縁部９５、９６よりも低剛性で可撓性のある中間部９７と、を備えている。濾過体保持枠９１は、一対の軸８５、８６とエアフィルタ７５との位置関係を保証している。前面枠体６８から濾過体保持枠９１を取り外すことによって、一対の軸８５、８６およびエアフィルタ７５も前面枠体６８から一体的に取り外される。
【００５２】
この２つの高剛性な辺縁部９５、９６のうち一方の辺縁部９５は、室内機２の正面を望む領域Ａであり、格子状の枠に対して面外方向へ延びて剛性を高めるリブ９８を備えている。
【００５３】
他方の辺縁部９６は、上面奥端部を含み、上面の前側部、中央部、奥側部のうち奥側部に相当する限定された領域Ｂであり、格子状の枠に対して面外方向へ延びて剛性を高めるリブ９９を備えている。
【００５４】
中間部９７は、領域Ａと領域Ｂとの間に挟まれた領域Ｃであり、上面の前側部から中央部に渡る。中間部９７は、リブ９８、９９を含む２つの辺縁部９５、９６よりも薄い略一様な厚みの格子板である。
【００５５】
一方側の軸８５は吸込口６１の正面下端部に配置され、他方側の軸８６は吸込口６１の上面奥端部に配置されている。中間部９７は、前面枠体６８の角部９３に倣って屈曲する。
【００５６】
一対の軸８５、８６の間に張られるエアフィルタ７５は、濾過体保持枠９１の形状に沿って一対の軸８５、８６間を結ぶ距離の２倍程度長く、塵埃が付着する濾過面領域の全てを一方側の軸８５に巻き付けてもなお、他方側の軸８６へ到達する長さ寸法を有している。また、エアフィルタ７５は、吸込口６１の幅方向を完全に覆う程度の幅寸法を有している。
【００５７】
駆動部８７は、前面枠体６８に設けられた電動機であり、電気エネルギーを回転エネルギーに変換して一方側の軸８５を回転させる。
【００５８】
図１０は、本発明の実施形態に係る空気調和機の固定枠の一部を示す斜視図である。
【００５９】
図４、図６および図１０に示すように、本実施形態に係る空気調和機１の前面枠体６８は、濾過体保持枠９１を着脱させる際に２つの辺縁部９５、９６のうち一方を定位置に案内するガイド溝１０１を備えている。ガイド溝１０１は、前面枠体６８の上面側に配置され、室内機２の前方に向かって解放されている。ガイド溝１０１は、前面枠体６８を左右両側方から挟み込んで案内するために、左右一対で設けられている。ガイド溝１０１は、前面枠体６８に濾過体保持枠９１を着脱させる際に、濾過体保持枠９１の他方の辺縁部９６、つまり室内機２の上面奥側に配置される辺縁部９６を案内する。濾過体保持枠９１の他方の辺縁部９６は、図１０中の破線矢印線のように、ガイド溝１０１に差し込まれて、前面枠体６８の上面前側から上面奥側へと案内される。
【００６０】
図１１は、図５のＶＩ−ＶＩ線において、本発明の実施形態に係る空気調和機の一方側の軸の周囲を示す断面図である。
【００６１】
図１２は、図８のＩＸ−ＩＸにおいて、本発明の実施形態に係る空気調和機の他方側の軸の周囲を示す断面図である。
【００６２】
図１１および図１２に示すように、本実施形態に係る空気調和機１の一対の軸８５、８６の少なくとも一方、本実施形態において両方は、金属製の芯棒１０２と、芯棒１０２を覆ってエアフィルタ７５に一体化される樹脂製の被覆部１０３と、を備えている。一対の軸８５、８６は、例えば、インサート成形によって芯棒１０２と被覆部１０３とが一体化され、インジェクションなどの成形方法によってシート状のエアフィルタ７５にも一体化されている。
【００６３】
芯棒１０２は、例えばアルミニウム合金製であって、円弧の一部を切り落とした形状、楕円形状、多角形状、歯車のように突出する部分を有する形状などの非正円断面形状である。なお、芯棒１０２は、線対称な形状であることが好ましい。本実施形態に係る芯棒１０２は、丸棒から２箇所の円弧が線対称に切り取られた２つの平坦部１０５を有している。
【００６４】
被覆部１０３は、インサート成形やインジェクションなどの成形方法に適する樹脂の成形品である。
【００６５】
また、図１１に示すように、本実施形態に係る空気調和機１の除塵機構９２は、前面枠体６８に着脱自在に連結されている。除塵機構９２は、エアフィルタ７５の流通空気の上流側となる表面７５ａ側に接触する塵埃除去ブラシ１０６と、塵埃除去ブラシ１０６がエアフィルタ７５の表面７５ａから除去した塵埃を蓄積する集塵容器１０７と、を備えている。
【００６６】
他方、濾過体保持枠９１は、エアフィルタ７５の流通空気の下流側となる裏面７５ｂ側に設けられて除塵機構９２と協働してエアフィルタ７５を挟み込む回転自在な円柱形状のブラシ１０８を備えている。ブラシ１０８および塵埃除去ブラシ１０６の毛先は、相互に重なり合う寸法関係にあり、エアフィルタ７５を確実に挟み込む。ブラシ１０８は、先端がエアフィルタ７５の裏面７５ｂ側からエアフィルタ７５の表面７５ａ側に突出することで、エアフィルタ７５に付着した塵埃を浮き上がらせると共に、塵埃除去ブラシ１０６からエアフィルタ７５に作用する負荷を支え、エアフィルタ７５を塵埃除去ブラシ１０６に確実に接触させて除塵を確実にする。
【００６７】
また、ブラシ１０８は、エアフィルタ７５の方向を変えてエアフィルタ７５を巻き取る一方側の軸８５の配置箇所の自由度を高めている。
【００６８】
他方、図１２に示すように、本実施形態に係る空気調和機１の動力部８８は、濾過体保持枠９１の他方の辺縁部９６に設けられている。動力部８８は、例えばバネであり、他方側の軸８６の軸端部に設けられる動力伝達機構１０９を介して弾性エネルギーを蓄積したり、放出したりする。
【００６９】
また、動力部８８は、エアフィルタ７５を駆動部８７よりも短時間で巻き取る。エアフィルタ７５の巻き取り時間は、動力部８８の素線の太さや、巻き数の増減によって、調整されている。換言すれば、エアフィルタ７５は、一方側の軸８５に巻き取られるよりも、他方側の軸８６に巻き取られる、つまり一方側の軸８５から巻き出されるときの方が、所要時間は短い。
【００７０】
そして、塵埃除去ブラシ１０６は、駆動部８７によってエアフィルタ７５が一方側の軸８５に巻き取られる際には、エアフィルタ７５に接触する除塵位置（図１１中に実線で示す塵埃除去ブラシ１０６）へ配置される一方、エアフィルタ７５が他方側の軸８６に巻き取られる際にはエアフィルタ７５と非接触な待避位置（図１１中に二点鎖線で示す塵埃除去ブラシ１０６）へ移動する。この塵埃除去ブラシ１０６の待避機能によって、動力部８８は、駆動部８７よりも小さな力で、より早くエアフィルタ７５を巻き取ることができる。
【００７１】
なお、動力部８８は、他方側の軸８６へエアフィルタ７５を巻き取る方向の力を常に付加し、いわゆるプリテンションを掛けることによってエアフィルタ７５をしっかりと張らせる。
【００７２】
図１３は、本発明の実施形態に係る空気調和機の一方側の軸の端部を背面側から見た構成を示す斜視図である。
【００７３】
図１４から図１６は、本発明の実施形態に係る空気調和機の巻取検知部を示す断面図である。
【００７４】
図１３から図１６に示すように、本実施形態に係る空気調和機１は、濾過体保持枠９１の一方の辺縁部９５に設けられた、一方側の軸８５の端部に設けられる歯車１１１を備えている。歯車１１１は、駆動部８７の動力を一方側の軸８５に伝達する。歯車１１１は、一方側の軸８５の非正円断面形状の芯棒１０２によって、回り止めされている。
【００７５】
また、本実施形態に係る空気調和機１は、エアフィルタ７５が一方側の軸８５に巻き取られているか否かを検出する巻取検知部１１２を備えている。
【００７６】
具体的には、巻取検知部１１２は、エアフィルタ７５を巻き取る一方側の軸８５に設けられる基準位置指示部１１３と、基準位置指示部１１３を検知する検知部１１５と、を備えている。
【００７７】
基準位置指示部１１３は、一方側の軸８５の端部に設けられる凹部であり、平坦面１１６を有している。平坦面１１６は、芯棒１０２の平坦部１０５を流用するものであり、当該箇所の被覆部１０３が除去されている。基準位置指示部１１３は、一方側の軸８５にエアフィルタ７５が巻き付けられた状態と、一方側の軸８５にエアフィルタ７５が巻き付けられていない、つまりは非巻き付け状態と、のいずれかを識別可能にしている。
【００７８】
検知部１１５は、前面枠体６８に設けられた揺動自在なレバー１１７と、レバー１１７の揺動を検知する例えばマイクロスイッチ（図示省略）と、を備えている。検知部１１５は、自重によって一方側の軸８５に押しつけられている。また、検知部１１５は、基準位置指示部１１３に対応する位置に設けられている。検知部１１５は、一方側の軸８５にエアフィルタ７５が巻き付けられた状態では、エアフィルタ７５に阻まれ基準位置指示部１１３に入り込むことができない一方で、一方側の軸８５にエアフィルタ７５が非巻き付け状態であれば、その自重で基準位置指示部１１３に入り込む。
【００７９】
つまり、巻取検知部１１２は、検知部１１５が基準位置指示部１１３に入り込んでいれば、一方側の軸８５に対するエアフィルタ７５の非巻き付け状態を検知し、検知部１１５が基準位置指示部１１３に入り込んでいなければ、一方側の軸８５に対するエアフィルタ７５の巻き付け状態を検知する。
【００８０】
具体的には、初期には、図１４に示すように、エアフィルタ７５は、動力部８８が蓄えたエネルギーによって他方側の軸８６に巻き取られ、つまり一方側の軸８５に対するエアフィルタ７５の非巻き付け状態となる。このとき、検知部１１５は、基準位置指示部１１３に入り込み、一方側の軸８５に対するエアフィルタ７５の非巻き付け状態を検知している。
【００８１】
次に、駆動部８７を９０度程度駆動させると、図１５に示すように、エアフィルタ７５は、一方側の軸８５に巻き付き始める。このとき、検知部１１５は、基準位置指示部１１３から抜け出して一方側の軸８５に対するエアフィルタ７５の巻き付け状態を検知し始める。そして、駆動部８７を３６０度以上駆動させると、図１６に示すように、エアフィルタ７５は、一方側の軸８５に１周程度、巻き着いて基準位置指示部１１３を覆い隠してしまう。そうすると、検知部１１５は、基準位置指示部１１３から抜け出して一方側の軸８５に対するエアフィルタ７５の巻き付け状態を検知する。これ以降、エアフィルタ７５を一方側の軸８５へ巻き取り続けることによって、エアフィルタ７５の表面７５ａに捕捉された塵埃を塵埃除去ブラシ１０６で掻き取ることができる。このとき、エアフィルタ７５が一方側の軸８５に巻き付けられる分だけ、動力部８８にはエネルギーが蓄えられて、エアフィルタ７５を初期状態のように他方側の軸８６に巻き取るための動力が蓄えられる。
【００８２】
エアフィルタ７５を初期状態のように他方側の軸８６に巻き取る時には、駆動部８７を逆転させて一方側の軸８５からエアフィルタ７５を送り出す。一方側の軸８５から送り出されたエアフィルタ７５は、動力部８８によって他方側の軸８６に巻き取られる。
【００８３】
なお、巻取検知部１１２は、本実施形態における機械的な基準位置指示部１１３と検知部１１５との組み合わせ以外にも、光を反射または吸収する基準位置指示部１１３と光学的な検知部１１５との組み合わせ、導電性または非導電性の基準位置指示部１１３と電気的な検知部１１５との組み合わせなど、エアフィルタ７５の巻き付け状態および非巻き付け状態を識別できる他の方式であっても良い。
【００８４】
また、巻取検知部１１２は、検知部１１５が基準位置指示部１１３に入り込むことによって、着脱可能な濾過体保持枠９１が前面枠体６８の定位置に配置されているか否かを検知することもできる。
【００８５】
さらに、基準位置指示部１１３は、一対の軸８５、８６それぞれの両端に一対ずつ、都合４箇所設けることによって、一対の軸８５、８６の左右の方向性や、濾過体保持枠９１の正面下側、上面奥側に対する配置の整合を区別することなく、濾過体保持枠９１に取り付けることができる。
【００８６】
本実施形態に係る空気調和機１は、前面枠体６８に着脱自在な濾過体保持枠９１を備え、濾過体保持枠９１に一対の軸８５、８６およびエアフィルタ７５を設ける簡易で安価な構造によって、室内機２から濾過体保持枠９１ごとエアフィルタ７５を取り外し、水や洗浄剤を使ってエアフィルタ７５、一対の軸８５、８６および濾過体保持枠９１を洗浄することができる。
【００８７】
また、本実施形態に係る空気調和機１は、一対の軸８５、８６を保持する高剛性な２つの辺縁部９５、９６と、これら辺縁部９５、９６よりも低剛性で可撓な板状の中間部９７を備えることによって、前面枠体６８に着脱の容易な濾過体保持枠９１を提供できる。室内機２は、一般的に被空調室Ｒ内の高所に設置されるため、濾過体保持枠９１の着脱は、高所かつ見通しの不良な作業になりがちであるが、本実施形態に係る空気調和機１は、室内機２の上面奥側に高剛性な他方の辺縁部９６があり、室内機２の正面下側に高剛性な一方の辺縁部９５があって、これら辺縁部９５、９６が可撓な中間部９７で連結されているため、濾過体保持枠９１を前面枠体６８に位置決めしやすく、作業の安全も図られる。
【００８８】
さらに、本実施形態に係る空気調和機１は、前面枠体６８にガイド溝１０１を備えているため、他方の辺縁部９６を定位置に配置しやすく、着脱性をさらに向上できる。
【００８９】
さらにまた、本実施形態に係る空気調和機１は、金属製の芯棒１０２と、芯棒１０２を覆ってエアフィルタ７５に一体化される樹脂製の被覆部１０３と、を備えることによって、一対の軸８５、８６の回転軸線回りのねじりの強度を高めるとともに、一対の軸８５、８６およびエアフィルタ７５を一体化させて取り扱い性を高めて、組立工数を削減できる。
【００９０】
また、本実施形態に係る空気調和機１は、巻取検知部１１２を備えることによって、エアフィルタ７５の巻き取り、巻き出しにともなう濾過面の定位置への再配置を確実にする。
【００９１】
さらに、本実施形態に係る空気調和機１は、非正円断面形状の芯棒１０２を備えることによって、一対の軸８５、８６に対する歯車１１１、動力伝達機構１０９の回転を阻止する回り止めの役割を果たして駆動部８７または動力部８８から伝達される動力を確実に伝える。また、本実施形態に係る空気調和機１は、非正円断面形状の芯棒１０２を部分的に被覆部１０３から露出させることによって巻取検知部１１２の基準位置指示部１１３を兼務させることもできる。特に、本実施形態に係る巻取検知部１１２は、芯棒１０２の平坦部１０５を流用することで、一対の軸８５、８６の径方向に深く窪んだ凹部を備えるため、基準位置指示部１１３を機械的な構成で容易かつ安価に検知できる。
【００９２】
さらにまた、本実施形態に係る空気調和機１は、除塵機構９２と協働してエアフィルタ７５を挟み込む回転自在な円柱形状のブラシ１０８を備えることによって、除塵性能を向上させるとともに、一方側の軸８５に対するエアフィルタ７５の巻き取りにおける駆動トルクを軽減できる。
【００９３】
また、本実施形態に係る空気調和機１は、エアフィルタ７５が他方側の軸８６に巻き取られる際にはエアフィルタ７５と非接触な待避位置へ移動する塵埃除去ブラシ１０６を備えることによって、他方側の軸８６に対するエアフィルタ７５の巻き取りにおける駆動トルクを大幅に軽減して、駆動部８７よりも出力のきわめて小さい動力部８８を利用できる。例えば、動力部８８にバネを利用する場合には、本実施形態に係る空気調和機１は、バネの素線や巻き数が少なく、容積の小さいバネを利用できる。
【００９４】
さらに、本実施形態に係る空気調和機１は、エアフィルタ７５を駆動部８７よりも短時間で巻き取る動力部８８を備えるため、エアフィルタ７５の巻き取り、巻き出しが等時間の場合に比べて、総掃除時間を短縮できる。
【００９５】
したがって、本実施形態に空気調和機１によれば、例えば１から２年程度の短期間では目立たなくても、例えば３年以上の中、長期間に及ぶと徐々に目立ってくる塵埃の残留物を洗浄して清潔を保ちやすい。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１  空気調和機
２  室内機
３  室外機
５  リモートコントローラ
１１  室内熱交換器
１２  室内ファン
１３  モータ
１４  室内ファン駆動部
１５  上下ルーバ
１６  モータ
１７  上下ルーバ駆動部
１８  左右ルーバ
１９  モータ
２１  左右ルーバ駆動部
２２  室内温度センサ
２３  受光部
２６  音声発生部
２７  スピーカ
２８  ＥＥＰＲＯＭ
２９  ＲＯＭ
３１  ＲＡＭ
３２  室内制御部
４１  圧縮機
４２  四方弁
４３  室外熱交換器
４５  膨張弁
４６  室外ファン
４７  室外制御部
５２  信号線
６１  吸込口
６２  吹出口
６３  通風路
６５  室内機筐体
６６  据付板
６７  後本体
６８  前面枠体
６８ａ  縦枠
６８ｂ  横枠
６８ｃ  開口部
６９  前面化粧板
７１  上側先端部
７２  下側先端部
７３  前面パネル
７５  エアフィルタ
７５ａ  表面
７５ｂ  裏面
７７  上前面熱交換器
７８  上後面熱交換器
７９  下前面熱交換器
８１  前部ドレンパン
８２  後部ドレンパン
８５、８６  軸
８７  駆動部
８８  動力部
９１  濾過体保持枠
９１ａ  縦枠
９１ｂ  横枠
９１ｃ  開口部
９２  除塵機構
９３  角部
９５、９６  辺縁部
９７  中間部
９８、９９  リブ
１０１  ガイド溝
１０２  芯棒
１０３  被覆部
１０５  平坦部
１０６  塵埃除去ブラシ
１０７  集塵容器
１０８  ブラシ
１０９  動力伝達機構
１１１  歯車
１１２  巻取検知部
１１３  基準位置指示部
１１５  検知部
１１６  平坦面
１１７  レバー
【図１】
2015049009.tif 000003
【図２】
2015049009.tif 000004
【図３】
2015049009.tif 000005
【図４】
2015049009.tif 000006
【図５】
2015049009.tif 000007
【図６】
2015049009.tif 000008
【図７】
2015049009.tif 000009
【図８】
2015049009.tif 000010
【図９】
2015049009.tif 000011
【図１０】
2015049009.tif 000012
【図１１】
2015049009.tif 000013
【図１２】
2015049009.tif 000014
【図１３】
2015049009.tif 000015
【図１４】
2015049009.tif 000016
【図１５】
2015049009.tif 000017
【図１６】
2015049009.tif 000018